(57)【要約】【課題】器具本体に対する天板の取り付けを容易化し、且つ開口部とバーナとの隙間を塞ぐシール部によるシール性を確保できるガスコンロを提供する。【解決手段】天板３を器具本体に位置合わせした後で、操作螺子４５，４８でトップ固定板７１，７２を前方に移動させる。トップ固定板７１，７２に各々設けた係止爪部７６、８６は、器具本体に設けた一対の係止穴に夫々係止する。次いで、操作螺子４５，４８を締めてトップ固定板７１，７２の位置を天板３に対して固定し、さらに螺子６６，６７によって天板３を器具本体に固定する。従って、各バーナ周囲の隙間を埋めるカバーリング３１〜３３の位置を変える必要がないので、天板３を器具本体に容易に取り付けることができる。さらにカバーリング３１〜３３内のパッキンの位置も変わらないので、カバーリング３１〜３３のシール性を確保できる。【選択図】図９
2014005951.tif 000002
【特許請求の範囲】
【請求項１】
器具本体の上面開口を覆う天板に設けた開口部から前記器具本体側に設けたバーナを上方に突出して配置し、前記開口部周囲にパッキンを介して取り付けたシール部によって、前記開口部と前記バーナ周囲の隙間を埋めてシールしたガスコンロであって、
前記天板の裏面側において一方向及び反対方向に往復移動自在に設けられ、前記器具本体に設けられた係止穴に係止する係止爪を備えたスライド部材と、
前記天板を前記器具本体の前記上面開口に被せ、前記開口部内に前記バーナを配置した状態で、前記天板の表面側から前記スライド部材を前記一方向に移動させることによって、前記係止穴に前記係止爪を係止させる操作部と、
前記係止穴に前記係止爪を係止させた状態で、前記天板に対して前記スライド板の位置を固定する第一固定部と、
前記第一固定部によって前記スライド板の位置を固定した状態で、前記天板を前記器具本体に対して固定する第二固定部と
を備えたことを特徴とするガスコンロ。
【請求項２】
前記一方向及び反対方向は、前記器具本体の前後方向であって、
前記係止穴は、前記器具本体の前部に設けられ、
前記スライド部材は、前記前後方向に沿って延設され、
前記係止爪は、前記スライド部材の前端部に設けられ、
前記天板の後端側には、前記前後方向に長軸を有する長穴が設けられ、
前記操作部は前記長穴に沿って移動自在に設けられると共に、前記長穴を介して前記スライド部材の後端側に連結され、
前記第一固定部は、前記天板に対して前記操作部の位置を固定することによって、前記天板に対して前記スライド板の位置を固定し、
前記第二固定部は、前記天板の前記後端側において前記天板を前記器具本体に固定することを特徴とする請求項１に記載のガスコンロ。
【請求項３】
前記スライド部材は、前記天板の前記裏面の左右方向両端側に夫々設けられ、
前記係止穴は、前記器具本体の前記前部の左右両端側に夫々設けられていることを特徴とする請求項２に記載のガスコンロ。
【請求項４】
前記係止爪の先端は、前記天板を前記器具本体の前記上面開口に被せた状態では、前記器具本体の前方に対して斜め下方に傾斜していることを特徴とする請求項２又は３に記載のガスコンロ。
【請求項５】
前記第一固定部は前記操作部を兼ねることを特徴とする請求項１から４の何れかに記載のガスコンロ。
【発明の詳細な説明】
【技術分野】
【０００１】
本発明は、ガスコンロに関する。
【背景技術】
【０００２】
従来、器具本体の上面開口を覆う天板に設けた開口部から器具本体側に設けられたバーナを上方に突出して配置し、開口部周囲にパッキンを介して取り付けた口金（シール部）で、開口部とバーナ周囲との隙間を埋めてシールしたガスコンロが知られている。施工業者は、天板を器具本体上部に取り付ける際に、器具本体の上部前側のフランジに形成した係合部に天板の前縁を引っ掛けて、天板を斜めに傾けた状態で口金をバーナに対して位置決めしつつ水平になる方向に揺動させ、天板を器具本体に螺子で固定する。これによりバーナ周囲の隙間が口金で埋められる。ところが、このとき口金の位置がずれていると、口金がバーナに引っ掛かってしまい、天板を装着できない場合があった。そこで例えば、リング状の口金を貫通窓（開口部）に対して移動し得るように構成したガスこんろが知られている（例えば、特許文献１参照）。
【先行技術文献】
【特許文献】
【０００３】
【特許文献１】特開平１１−２８１０６８号公報
【発明の概要】
【発明が解決しようとする課題】
【０００４】
しかしながら、特許文献１に記載のガスこんろでは、口金を貫通窓に対して移動させるので、口金と天板との間に配置されたパッキンまでも移動してしまう。このときパッキンが撓んだり捩れたりすると、パッキンと天板との間に隙間ができてしまい、その隙間から煮汁が侵入する可能性があった。また、バーナを複数備えたガスコンロの場合、天板の前縁を器具本体の係合部に引っ掛けて、天板を斜めに傾けた状態で、各バーナに対応する口金を一つ一つ移動させながら位置合わせを行わなければならず、一人の施工業者で行うのは大変困難であった。
【０００５】
本発明の目的は、器具本体に対する天板の取り付けを容易化し、且つ開口部とバーナとの隙間を塞ぐシール部によるシール性を確保できるガスコンロを提供することである。
【課題を解決するための手段】
【０００６】
本発明の請求項１に係るガスコンロは、器具本体の上面開口を覆う天板に設けた開口部から前記器具本体側に設けたバーナを上方に突出して配置し、前記開口部周囲にパッキンを介して取り付けたシール部によって、前記開口部と前記バーナ周囲の隙間を埋めてシールしたガスコンロであって、前記天板の裏面側において一方向及び反対方向に往復移動自在に設けられ、前記器具本体に設けられた係止穴に係止する係止爪を備えたスライド部材と、前記天板を前記器具本体の前記上面開口に被せ、前記開口部内に前記バーナを配置した状態で、前記天板の表面側から前記スライド部材を前記一方向に移動させることによって、前記係止穴に前記係止爪を係止させる操作部と、前記係止穴に前記係止爪を係止させた状態で、前記天板に対して前記スライド板の位置を固定する第一固定部と、前記第一固定部によって前記スライド板の位置を固定した状態で、前記天板を前記器具本体に対して固定する第二固定部とを備える。
【０００７】
また請求項２に係る発明のガスコンロは、請求項１に記載の発明の構成に加え、前記一方向及び反対方向は、前記器具本体の前後方向であって、前記係止穴は、前記器具本体の前部に設けられ、前記スライド部材は、前記前後方向に沿って延設され、前記係止爪は、前記スライド部材の前端部に設けられ、前記天板の後端側には、前記前後方向に長軸を有する長穴が設けられ、前記操作部は前記長穴に沿って移動自在に設けられると共に、前記長穴を介して前記スライド部材の後端側に連結され、前記第一固定部は、前記天板に対して前記操作部の位置を固定することによって、前記天板に対して前記スライド板の位置を固定し、前記第二固定部は、前記天板の前記後端側において前記天板を前記器具本体に固定することを特徴とする。
【０００８】
また請求項３に係る発明のガスコンロは、請求項２に記載の発明の構成に加え、前記スライド部材は、前記天板の前記裏面の左右方向両端側に夫々設けられ、前記係止穴は、前記器具本体の前記前部の左右両端側に夫々設けられている。
【０００９】
また請求項４に係る発明のガスコンロは、請求項２又は３に記載の発明の構成に加え、前記係止爪の先端は、前記天板を前記器具本体の前記上面開口に被せた状態では、前記器具本体の前方に対して斜め下方に傾斜していることを特徴とする。
【００１０】
また請求項５に係る発明のガスコンロは、請求項１から４の何れかに記載の発明の構成に加え、前記第一固定部は前記操作部を兼ねることを特徴とする。
【発明の効果】
【００１１】
請求項１に係る発明のガスコンロでは、施工業者は、天板を器具本体の上面開口に位置合わせを行い、操作部によってスライド部材をスライドさせる。これにより、スライド部材に設けられた係止爪が器具本体側の係止穴に係止するので、天板が器具本体に対して仮固定される。その状態で、第一固定部によってスライド板の位置を天板に対して固定し、さらに第二固定部によって天板を器具本体に固定する。これにより、シール部を可動させる必要がないので、器具本体に対して天板を容易に取り付けることができる。また、シール部の位置は変わらないので、パッキンの位置が移動しない。それ故、パッキンと天板との密着性を保持できるので、シール部によるシール性を確保できる。
【００１２】
また請求項２に係る発明のガスコンロでは、請求項１に記載の発明の効果に加え、スライド部材は器具本体の前後方向に移動する。従って、天板の後端側において操作部を前方に操作することによって、スライド部材の前端部に設けられた係止爪を、器具本体の前部に設けられた係止穴に係止させることができる。さらに、操作部、第一、第二固定部、第二固定部は天板の後端側に位置するので、使用者から見て操作部、第一、第二固定部が見えにくい場所に配置できる。これにより、ガスコンロの美観を損なわずに、上記請求項１の効果を得ることができる。
【００１３】
また請求項３に係る発明のガスコンロでは、請求項２に記載の発明の効果に加え、天板を器具本体に固定する際に、天板全体を一度に固定するのではなく、天板の左端側又は右端側から順次、器具本体に固定できる。施工業者は、例えば、天板の右端側を器具本体に対して押し付けながら右側のスライド部材を前方向に移動させることによって、天板の右端側を器具本体に固定し、その後で、天板の左端側を右端側と同様に固定する。即ち、天板を器具本体に対して段階的に固定できるので、一人の施工業者でも天板を器具本体に対して容易かつ確実に固定できる。また、天板を器具本体の左右方向両端部において左右バランスよく且つ確実に固定できる。さらに、スライド部材を一対の部材で構成することで、スライド部材をコンパクトにできる。
【００１４】
また請求項４に係る発明のガスコンロでは、請求項２又は３に記載の発明の効果に加え、係止爪は斜め下方に傾斜しているので、天板を器具本体の上面に載せた状態で操作部を前方に移動させることによって、係止爪の先端が係止穴に引っ掛かると共に、係止爪の傾斜部分に係止穴の上縁部が摺動する。それ故、係止爪は下方に沈むので、スライド板を介して天板が器具本体に対して下方に押し付けられる。従って、天板と器具本体との間の密着性を高めることができる。
【００１５】
また請求項５に係る発明のガスコンロでは、請求項１から４の何れかに記載の発明の効果に加え、第一固定部は操作部を兼ねるので部品点数を少なくでき、さらに構造を簡単にできる。
【図面の簡単な説明】
【００１６】
【図１】コンロ１の斜視図である。
【図２】天板３の平面図である。
【図３】天板３の裏面を上にした平面図（トップ固定板７１，７２：後方位置）である。
【図４】図２に示すＩ−Ｉ線矢視方向断面図である。
【図５】トップ固定板７１の平面図である。
【図６】トップ固定板７１の左側面図である。
【図７】トップ固定板７１の正面図である。
【図８】前面枠１０の正面図である。
【図９】天板３の裏面を上にした平面図（トップ固定板７１，７２：前方位置）である。
【図１０】係止爪部７６が係止穴１０５に差し込まれる前の状態を示す図である。
【図１１】係止爪部７６が係止穴１０５に差し込まれる途中の状態を示す図である。
【図１２】係止爪部７６が係止穴１０５に係止した状態を示す図である。
【発明を実施するための形態】
【００１７】
以下、本発明の一実施形態について、図面に基づいて説明する。図１において、左斜め下方、右斜め上方、右斜め下方、左斜め上方を、夫々、コンロ１の前方、後方、右方、左方とする。図２において、下方、上方、右方、左方を、夫々、天板３の前方、後方、右方、左方とする。なお、図１に示すコンロ１は図示しないキッチンのカウンタートップに設置されるビルトインコンロである。
【００１８】
図１，図２を参照し、コンロ１の全体構造について説明する。図１に示すように、コンロ１は器具本体２を備える。器具本体２は上部が開口する略直方体状であり、内側に各種バーナ５〜７、グリル庫（図示略）、ガス供給機構（図示略）等を備える。器具本体２上部には天板３が取り付けられている。天板３の後端側を除く前側部分にはガラストッププレート２１（以下「トッププレート２１」と呼ぶ）が設けられている。天板３の後端側にはアルミ製の中板２２が設けられている。天板３の外周にはアルミ枠２３が設けられている。アルミ枠２３の下部にはゴム製のパッキン２４（図３，図４参照）が貼着されている。
【００１９】
トッププレート２１の右手前にはバーナ開口２５（図２参照）、略中央奥にはバーナ開口２６（図２参照）、左手前にはバーナ開口２７（図２参照）が夫々設けられている。バーナ開口２５には右バーナ５、バーナ開口２６には奥バーナ６、バーナ開口２７には左バーナ７が、器具本体２側から上方に突出して各々設けられている。
【００２０】
バーナ開口２５における右バーナ５周囲の隙間はカバーリング３１で塞がれている。カバーリング３１はバーナ開口２５に後述するパッキン３８（図２参照）を介して取り付けられている。それ故、煮汁等がバーナ開口２５から器具本体２内に侵入するのを防止できる。カバーリング３１には、穴３６と溝３７（図２参照）が設けられ、器具本体２側に設けられたイグナイタ９５、熱伝対９６をカバーリング３１から上方に突出させている。さらに、カバーリング３１の外周を囲むようにして、五徳リング９１が設置されている。なお、詳述しないが、奥バーナ６及び左バーナ７においても、右バーナ５と同様に、カバーリング３２，３３、及び五徳リング９２，９３が各々設けられている。カバーリング３２，３３にも、イグナイタ及び熱伝対用の穴と溝（図示略）が各々設けられている。
【００２１】
図２に示すように、中板２２には器具本体２内のグリル庫と連通する排気口４２（図２参照）が設けられている。排気口４２は平面視横長長方形状である。排気口４２には一対の遮炎カバー９８，９９（図１参照）が設置されている。
【００２２】
図１に示すように、器具本体２の前壁１１の正面中央にはグリル開口１２が設けられている。グリル開口１２にはグリル扉１３が前後方向にスライド可能に設けられている。グリル扉１３上側にはグリル窓１３Ａが設けられている。グリル窓１３Ａの下方には取手１３Ｂが設けられている。取手１３Ｂでグリル扉１３を手前側に引き出すと、焼き網と受け皿（図示略）を同時に取り出すことができる。
【００２３】
グリル開口１２の右側には、点火スイッチ１４，１５が各々設けられている。点火スイッチ１４は右バーナ５を点火／消火する為に押下される。点火スイッチ１５はグリル庫内に設けられたグリルバーナ（図示略）を点火／消火する為に押下される。グリル開口１２の左側には、点火スイッチ１６，１７が各々設けられている。点火スイッチ１６は奥バーナ６を点火／消火する為に押下される。点火スイッチ１７は左バーナ７を点火／消火する為に押下される点火スイッチ１４，１５の下側には操作パネル１８が器具本体２内に収納可能に設けられている。点火スイッチ１６，１７の下側には電池ボックス１９が設けられている。電池ボックス１９はコンロ１の電源を供給する乾電池を格納する。
【００２４】
なお、器具本体２正面において、前壁１１の上端部と天板３の前端部との間には、前面枠１０が設けられている。前面枠１０は前壁１１及び天板３の前端部よりも奥側に位置する。前面枠１０の前方には、キッチンのカウンタートップ前側の梁部材（図示略）が嵌め込まれる。
【００２５】
図２〜図４を参照し、天板３の構造について説明する。図２に示すように、天板３は、トッププレート２１、中板２２、アルミ枠２３を備える。トッププレート２１は、図４に示すように、例えばホーロー用鋼板２１Ａの上面にガラスコート２１Ｂを施して形成されている。なお、トッププレート２１は強化ガラスやその他の材質で形成したものでもよい。またガラスコート２１Ｂは複数の層で形成してもよい。バーナ開口２５〜２７は、器具本体２側に設けられた右バーナ５、奥バーナ６、左バーナ７の各位置に夫々対応している。バーナ開口２５〜２７は平面視円形状であり、右バーナ５、奥バーナ６、左バーナ７の各バーナヘッドの径よりも大きく形成されている。
【００２６】
上述の通り、バーナ開口２５〜２７には、カバーリング３１〜３３が各々装着されている。カバーリング３１は短軸筒状に形成され、軸方向一端部から径方向外側に延出するフランジ部３１Ａ（図２参照）がバーナ開口２５の内縁部にパッキン３８（図２参照）を介して係止している。さらに、カバーリング３１の前記一端部とは反対側の他端部は、バーナ開口２５を介して下方に突出し、バーナ開口２５に対してトッププレート２１下面側から押し当てた押さえ板６１（図３参照）に対して３つの螺子６５で固定されている。これにより、カバーリング３１はトッププレート２１のバーナ開口２５に装着されている。なお、カバーリング３２，３３についても同様の固定構造である。
【００２７】
図２に示すように、中板２２は平面視横長長方形状である。排気口４２の右側には、ガイド穴４３と固定穴４４が各々設けられている。ガイド穴４３は固定穴４４よりも後方に配置され、前後方向に長い長穴である。ガイド穴４３には操作螺子４５が挿入されている。操作螺子４５は平座金一体螺子である。それ故、操作螺子４５は緩めることによってガイド穴４３に沿って移動可能となり、締めることによって天板３に対して位置が固定される。なお、操作螺子４５のガイド穴４３に差し込まれた先端部は、天板３の裏面側において後述するトップ固定板７１（図３参照）に連結されている。後述するが、操作螺子４５は、トップ固定板７１をスライド操作する「操作部」として機能すると共に、トップ固定板７１を天板３に対して位置を固定する「第一固定部」としても機能する。固定穴４４には、螺子６６（図９参照）が差し込まれ、トップ固定板７１の後述する固定穴８４（図５参照）を介して器具本体２側の梁部材に設けられた第一螺子穴（図示略）に締結される。
【００２８】
なお、排気口４２の左側にも、ガイド穴４６と固定穴４７が各々設けられている。ガイド穴４６には操作螺子４８が挿入されている。なお、操作螺子４８のガイド穴４６に差し込まれた先端部は、天板３の裏面側において後述するトップ固定板７２（図３参照）に連結されている。操作螺子４８はトップ固定板７２の位置を操作する「操作部」として機能すると共に、トップ固定板７２を天板３に対して位置を固定する「第一固定部」としても機能する。
【００２９】
図３を参照し、天板３の裏面構造について説明する。なお、図３は図２に示す天板３の裏表をひっくり返して裏面を上に向けた状態の平面図であるが、説明の便宜上、図３においても図２の方向の定義に準じて説明する。天板３の裏面側において、後端部にはつなぎ板５１が設けられている。つなぎ板５１は中板２２とアルミ枠２３とを連結する。トッププレート２１の裏面には、金属製の熱拡散板５５が接着剤で固定されている。それ故、トッププレート２１が各バーナ５〜７の燃焼熱によって部分的に膨張して歪んでしまうのを防止できる。また、各バーナ５〜７からトッププレート２１に伝わる熱は、熱拡散板５５から器具本体２の内側に放出されるので、トッププレート２１が過度に高温になるのを防止できる。
【００３０】
さらに、熱拡散板５５は前方部５６と後方部５７を備える。前方部５６はトッププレート２１の裏面前側部分、後方部５７はトッププレート２１の裏面後ろ側部分である。前方部５６はバーナ開口２５，２７の領域を含む横長長方形状に形成され、後方部５７はバーナ開口２６の領域を含む横長長方形状に形成されている。前方部５６及び後方部５７の間には所定の隙間が形成されている。なお、前方部５６及び後方部５７において、各バーナ開口２５〜２７に対応する各位置には円形状の開口（図示略）が設けられ、各バーナ５〜７を挿入できるようになっている。
【００３１】
また、前方部５６の前端部にはリブ５６Ａ、後端部にはリブ５６Ｂが、トッププレート２１の裏面に対して略直角に折り曲げられて各々形成されている。リブ５６Ａ，５６Ｂは前方部５６の剛性を補強する。後方部５７の前端部にはリブ５７Ａ、後端部にはリブ５７Ｂが、トッププレート２１の裏面に対して略直角に折り曲げられて各々形成されている。リブ５７Ａ，５７Ｂは後方部５７の剛性を補強する。リブ５７Ａの左右両端部には差込穴５７Ｃが各々設けられている。各差込穴５６Ｃには、後述するトップ固定板７１，７２の各差込部８０，８８が各々差し込まれる。
【００３２】
そして、前方部５６のバーナ開口２５に対応する領域には、押さえ板６１が押し当てられている。押さえ板６１は長方形状に形成され、トッププレート２１を間に挟み込んだ状態で、３つの螺子６５で、バーナ開口２５からトッププレート２１の裏面側に突出するカバーリング３１の他端部に固定されている。前方部５６のバーナ開口２７に対応する領域には、押さえ板６３が押し当てられている。なお、押さえ板６３も、トッププレート２１を間に挟み込んだ状態で、バーナ開口２７からトッププレート２１の裏面側に突出するカバーリング３３の他端部に固定されている。他方、後方部５７のバーナ開口２６に対応する領域には、押さえ板６２が押し当てられている。押さえ板６２も、トッププレート２１を間に挟み込んだ状態で、バーナ開口２６からトッププレート２１の裏面側に突出するカバーリング３２の他端部に固定されている。
【００３３】
さらに、前方部５６において、押さえ板６１が押し当てられる領域の左右両側には、一対の位置決め突起５９が各々設けられている。右側の一対の位置決め突起５９は、押さえ板６１の右端部の前後方向両端部に各々当接する。左側の一対の位置決め突起５９は、押さえ板６１の左端部の前後方向両端部に各々当接する。従って、押さえ板６１をトッププレート２１に取り付ける際には、これら４つの位置決め突起５９の内側に押さえ板６１を配置すればよい。それ故、前方部５６に対する押さえ板６１の位置決めが容易である。なお、前方部５６において、押さえ板６３が押し当てられる領域の左右両側にも、一対の位置決め突起５９が各々設けられている。また、後方部５７においても、押さえ板６２が押し当てられる領域の左右両側にも、一対の位置決め突起５９が各々設けられている。
【００３４】
また、トッププレート２１の裏面側には、左前角部（図２の状態では右前角部に相当）である天板３のコーナＲから右方と後方に各々延出する略Ｌ字状のコーナ板５２が、アルミ枠２３に沿って熱拡散板５５の上に重ねて固定されている。その反対側であって、右前角部（図２の状態では左前角部に相当）である天板３のコーナＬから左方と後方に各々延出する略Ｌ字状のコーナ板５３が、アルミ枠２３に沿って熱拡散板５５の上に重ねて固定されている。これらコーナ板５２，５３は、天板３のコーナＲ，Ｌから前端部及び左右両端部にかかる部分を補強する。
【００３５】
そして、上記構成からなるトッププレート２１の裏面側において、左端側にはトップ固定板７１が前後方向に移動可能に設けられている。右端側にはトップ固定板７２が前後方向に移動可能に設けられている。トップ固定板７１，７２の各前端部には、後述する係止爪部７６，８６が各々設けられている。トップ固定板７１，７２は、操作螺子４５，４８（図２参照）を夫々前方にスライド操作することによって前方に移動され、係止爪部７６，８６が前面枠１０の左右両側に各々設けられた後述する係止穴１０５，１０６（図８参照）に各々係止する。これにより、天板３が器具本体２に仮固定される。
【００３６】
また、コーナＲ近傍には、側面視Ｌ字状の係止爪支持部６８が設けられている。係止爪支持部６８には支持穴６８Ａが設けられている。支持穴６８Ａにはトップ固定板７１の係止爪部７３が挿入されている。コーナＬ近傍には、側面視Ｌ字状の係止爪支持部６９が設けられている。係止爪支持部６９には支持穴６９Ａが設けられている。支持穴６９Ａにはトップ固定板７２の係止爪部８６が挿入されている。これにより、係止爪支持部６８，６９は、トップ固定板７１の係止爪部７６及びトップ固定板７２の係止爪部８６を各々支持する。
【００３７】
図５〜図７を参照し、トップ固定板７１，７２の構造について説明する。なお、トップ固定板７２はトップ固定板７１と左右対称であるので説明を省略する。また、ここでは、天板３を裏返しにした状態で配置したときのトップ固定板７１の向きで説明する。
【００３８】
図５に示すように、トップ固定板７１は平面視略Ｌ字状である。図５，図６に示すように、トップ固定板７１は、所定幅を有し且つ前後方向に延出する細長長方形状の本体部７３と、該本体部７３の後端部に設けられ、本体部７３より一段トッププレート２１裏面側に低くなった固定部７４（図６，図７参照）と、本体部７３の前端部から右側方に向けて略直角に折り返して延出する細長長方形状の支持部７５と、該支持部７５の前端部右側から前方に突出する係止爪部７６とを備える。係止爪部７６の先端部は図６における斜め上方（器具本体２側）に折曲している。
【００３９】
本体部７３の右端部後方側には、トッププレート２１裏面に向かって延出する起立部７７が設けられ、右端部前方側には、トッププレート２１裏面に向かって延出する起立部７８が設けられている。起立部７７と起立部７８は前後方向に離間している。起立部７７の延出方向先端部には右側方に略直角に折り返した折返部７９が設けられている。折返部７９の前端部には差込部８０が設けられている。起立部７８の延出方向先端部には右側方に略直角に折り返した折返部８１が設けられている。
【００４０】
固定部７４には固定穴８３，８４が設けられている。固定穴８３は固定穴８４の後方に設けられ、天板３の中板２２に設けたガイド穴４３（図２参照）の位置に対応する。固定穴８４は、トップ固定板７１が最前方に移動したときの天板３の中板２２に設けた固定穴４４（図２参照）に対応する。なお、図３に示すように、トップ固定板７２も係止爪部８６及び差込部８８等を備えている。
【００４１】
図３を参照し、天板３へのトップ固定板７１の取付構造について説明する。トップ固定板７１は、天板３裏面の左側（図２の右側に相当）に配置される。固定部７４は天板３に設けたガイド穴４３（図２参照）を介して操作螺子４５によって固定される。折返部７９は熱拡散板５５の後方部５７のリブ５７Ａ，５７Ｂの間に配置される。折返部８１は熱拡散板５５の前方部５６のリブ５６Ａ，５６Ｂの間に配置される。差込部８０は、後方部５７のリブ５７Ａの左側に設けた差込穴５７Ｃに差し込まれる。さらに、係止爪部７６は、係止爪支持部６８の支持穴６８Ａに挿入される。これにより、トップ固定板７１は、天板３裏面から脱落することなく、前後方向に移動可能に支持される。なお、トップ固定板７２においても、トップ固定板７１と同様に、差込部８８は、後方部５７のリブ５７Ａの右側に設けた差込穴５７Ｃに差し込まれ、係止爪部８６は、係止爪支持部６９の支持穴６９Ａに挿入される。これにより、トップ固定板７２も、天板３裏面から脱落することなく、前後方向に移動可能に支持される。
【００４２】
図８を参照し、前面枠１０の構造について説明する。前面枠１０は本体部１０１と受け部１０２を備え、断面Ｔ字状に形成されている。本体部１０１は正面視横長長方形状に形成されている。受け部１０２は平面視略長方形状に形成され、本体部１０１の上端部に略直角に連結されている。受け部１０２の上面には、天板３のアルミ枠２３がパッキン２４（図９参照）を介して載置される。本体部１０１の上側の左右両端部近傍には、正面視長方形状の係止穴１０５，１０６が設けられている。係止穴１０５は右側、係止穴１０６は左側に位置する。係止穴１０５には、トップ固定板７１の係止爪部７６が係止する。係止穴１０６には、トップ固定板７２の係止爪部８６が係止する。
【００４３】
図９〜図１２を参照し、器具本体２上部への天板３の取り付け方法について説明する。施工業者は、器具本体２に取り付ける前の天板３について、図２に示すように、操作螺子４５，４８を何れも緩めて最後方位置に移動させておく。よって、図３に示すように、一対のトップ固定板７１，７２は何れも最後方に位置する。施行業者は、この状態の天板３を両手で持ち上げ、器具本体２上部に対して位置合わせを行う。このとき、バーナ開口２５に右バーナ５を挿入し、バーナ開口２６に奥バーナ６を挿入し、バーナ開口２７に左バーナ７を挿入する。各バーナ開口２５〜２６には、カバーリング３１〜３３が既に装着されているので、各バーナ５〜７がカバーリング３１〜３３と干渉しないように注意する。さらに、穴３６にイグナイタ９５を挿入し、溝３７に熱伝対９６を挿入する。このように、施工業者は、天板３側の各バーナ開口２５〜２７及びカバーリング３１〜３３と、器具本体２側の各バーナ５〜７との位置合わせを先にしてから、天板３を器具本体２上部に載置できる。図２に示すように、天板３は表面側を上、裏面側を下にした状態である。そして、天板３は、アルミ枠２３に設けられたパッキン２４により、器具本体２上部の開口端よりやや浮いた状態となっている。
【００４４】
次いで、施工業者は、器具本体２上部に正確に位置合わせして載置された天板３を左右片側ずつ順に器具本体２上部に固定していく。例えば天板２の右端側を器具本体２上部に対して手で押さえ付けながら、操作螺子４５をガイド穴４３に沿って前方にスライド移動させる。アルミ枠２３に設けられたパッキン２４が、器具本体２の開口端との間で潰れるので、天板２の右端側が左端側よりもやや沈む。操作螺子４５に固定されたトップ固定板７１は前方に移動する。
【００４５】
ここで、図１０に示すように、トップ固定板７１が移動する天板３の右側（図９では左側）において、器具本体２の前面枠１０に設けられた係止穴１０５に対して、トップ固定板７１の係止爪部７６はやや上方にずれた位置にある。そして、天板３は裏面側を下にしているので、トップ固定板７１の係止爪部７６は前方に対して斜め下方に傾斜している。それ故、係止爪部７６の先端部は係止穴１０５の内側に向けられている。従って、トップ固定板７１が前方に移動すると、係止爪部７６の先端部は係止穴１０５の内側に挿入される。
【００４６】
さらに、トップ固定板７１が前方に移動すると、図１１に示すように、係止穴１０５の上縁部に対して、係止爪部７６の傾斜する上面が接触する。この状態から係止爪部７６がさらに前方に移動すると、係止爪部７６の傾斜する上面が係止穴１０５の上縁部に対して摺動するので、係止爪部７６は徐々に押し下げられる。これに伴い、トップ固定板７１が押し下げられるので、図１２に示すように、そのトップ固定板７１と一体的に構成された天板３も押し下げられ、結果的に器具本体２上部にパッキン２４を介して密着した状態となる。そして、操作螺子４５が最前方に移動した時には、係止穴１０５の上縁部が係止爪部７６の傾斜する上面を乗り越えて平坦面に接触して止まる。これにより、係止爪部７６が前面枠１０に設けられた係止穴１０５に係止する。
【００４７】
次いで、操作螺子４５を締める。これにより、天板３に対してトップ固定板７１の位置が固定される。この状態では、図２に示す天板３の後部右側において、中板２２に設けられた固定穴４４と、トップ固定板７１の固定部７４（図３参照）に設けた固定穴８４と、器具本体２側に設けられた梁部材（図示略）の第一螺子穴（図示略）とが互いに同一位置に並んでいる。施工業者は、天板３の固定穴４４から螺子６６（図９参照）を差し込み、トップ固定板７１の固定穴８４を介して、第一螺子穴に締結する。これにより天板３の右端側が器具本体２上部に対して固定される。
【００４８】
次に、天板２の左端側を器具本体２上部に対して手で押さえ付けながら、操作螺子４８をガイド穴４６に沿って前方にスライド移動させる。アルミ枠２３に設けられたパッキン２４が、器具本体２の開口端との間で潰れるので、天板２の左端側が右端側と同じ高さ位置に沈む。操作螺子４８に固定されたトップ固定板７２は前方に移動する。そして、トップ固定板７２においても、トップ固定板７２と同じ工程を経ることによって、係止爪部８６が前面枠１０に設けられた係止穴１０６に係止する。
【００４９】
次いで、操作螺子４８を締める。これにより、天板３に対してトップ固定板７２の位置が固定される。この状態では、図２に示す天板３の後部左側において、中板２２に設けられた固定穴４７と、トップ固定板７２の固定部に設けた固定穴８７と、器具本体２側に設けられた梁部材（図示略）の第二螺子穴（図示略）とが互いに同一位置に並んでいる。施工業者は、天板３の固定穴４７から螺子６７（図９参照）を差し込み、トップ固定板７２の固定穴８７を介して、第二螺子穴に締結する。これにより天板３の左端側が器具本体２上部に対して固定される。こうして、天板３の全体が器具本体２上部に対して確実に固定される。
【００５０】
以上説明において、図３に示すトップ固定板７１，７２が本発明の「スライド板」に相当する。係止爪部７６，８６が本発明の「係止爪」に相当する。操作螺子４５，４８が本発明の「操作部」及び「第一固定部」に相当する。
【００５１】
以上説明したように、本実施形態のコンロ１では、天板３に設けたバーナ開口２５〜２７から器具本体２側に設けた各バーナ５〜７が上方に突出している。バーナ開口２５〜２７にはパッキン３８を介してカバーリング３１〜３３が取り付けられている。バーナ開口２５〜２７の各周囲とバーナ５〜７との各隙間はカバーリング３１〜３３で夫々埋められてシールされている。天板３の裏面における左右両側には、トップ固定板７１，７２が前後方向にスライド自在に設けられている。トップ固定板７１，７２は左右対称形状である。トップ固定板７１は前端部に係止爪部７６を備え、トップ固定板７２は前端部に係止爪部８６を備える。天板３の後端側に設けられた操作螺子４５，４８は夫々緩めた状態で、前後方向に長いガイド穴４３，４５に沿って前後方向にスライド可能である。操作螺子４５，４８は天板３の裏面側においてトップ固定板７１，７２に連結している。
【００５２】
施工業者は、天板３を器具本体２上部に位置合わせを行い、天板３を器具本体２に対して押し付けた状態で、操作螺子４５，４８によってトップ固定板７１，７２をスライドさせる。これにより、トップ固定板７１，７２に設けられた係止爪部７６，８６が器具本体２側の係止穴１０５，１０６に係止するので、天板３が器具本体２に対して仮固定される。その状態で、操作螺子４５，４８を締めることによって、トップ固定板７１，７２の位置を天板３に対して固定する。さらに、施工業者は、天板３に設けられた固定穴４４，４７から螺子６６，６７を夫々差し込み、トップ固定板７１の固定穴８４及びトップ固定板７２の固定穴８７を介して、器具本体２側に設けられた第一螺子穴及び第二螺子穴に夫々締結する。これにより、天板３を器具本体２上部に対して固定できる。これにより、カバーリング３１〜３３を可動させる必要がないので、器具本体２に対して天板３を容易に取り付けることができる。また、カバーリング３１〜３３の位置は変わらないので、パッキン３８の位置が移動しない。それ故、パッキン３８と天板３との密着性を保持できるので、カバーリング３１〜３３によるシール性を確保できる。
【００５３】
また本実施形態では特に、トップ固定板７１，７２は器具本体２の前後方向に移動する。それ故、天板３の後端側において操作螺子４５，４８を前方に操作することによって、トップ固定板７１，７２の前端部に支持された係止爪部７６，８６を、器具本体２の前面枠１０に設けられた係止穴１０５，１０６に係止させることができる。さらに、操作螺子４５，４８、螺子６６，６７が差し込まれる固定穴４４，４７は天板３の後端側に位置する。それ故、操作螺子４５，４８、及び固定穴４４，４７に差し込まれる螺子６６，６７を何れも使用者から見えにくい場所に配置できる。これによりコンロ１の美観を保持できる。
【００５４】
また本実施形態では特に、トップ固定板７１，７２は、天板３裏面の左右方向両端側に夫々設けられている。係止穴１０５，１０６は、器具本体２の前面枠１０の左右両端側に夫々設けられている。これにより、天板３を器具本体２に固定する際に、天板３全体を一度に固定するのではなく、天板３の左端側又は右端側から順次、器具本体２に固定できる。施工業者は、例えば、天板３の右端側を器具本体２に対して押し付けながら右側のトップ固定板７１を前方向に移動させることによって、天板３の右端側を器具本体２に固定し、その後で、天板３の左端側を右端側と同様に固定する。即ち、天板３を器具本体２に対して段階的に固定できるので、一人の施工業者でも天板３を器具本体２に対して容易かつ確実に固定できる。また、天板３を器具本体２の左右方向両端部において左右バランスよく且つ確実に固定できる。さらに、トップ固定板７１，７２は一対で構成するので、各部材をコンパクトに形成できる。
【００５５】
また本実施形態では特に、係止爪部７６，８６の先端は、天板３を器具本体２上部に被せた状態では、器具本体２の前方に対して斜め下方に傾斜している。これにより、天板３を器具本体２上部に載せた状態で操作螺子４５，４８を前方に移動することによって、係止爪部７６，８６の先端が係止穴１０５，１０６に引っ掛かると共に、係止爪部７６，８６の各傾斜部分に係止穴１０５，１０６の上縁部が摺動する。それ故、係止爪部７６，８６は下方に沈むので、トップ固定板７１，７２を介して天板３が器具本体２に対して下方に押し付けられる。従って、天板３と器具本体２との間の密着性を高めることができる。
【００５６】
また本実施形態では特に、操作螺子４５，４８は操作部を兼ねる平座金一体ねじであるので、部品点数を少なくでき、構造を簡単にできる。
【００５７】
なお本発明は上記実施形態に限定されるものではなく、種々の変更が可能である。例えば、上記実施形態のコンロ１はビルトインコンロであるが、テーブルコンロであってもよい。
【００５８】
また上記実施形態は、複数のバーナ５〜７を備えるものであるが、バーナは１つでもよく、グリルは無くてもよい。
【００５９】
また上記実施形態では、操作螺子４５，４８がトップ固定板７１，７２をスライド移動させる「操作部」と、天板３に対して位置を固定する「第一固定部」としての機能を兼ねているが、夫々を別部材で構成してもよい。
【００６０】
また上記実施形態では、トップ固定板７１において、差込部８０を折返部７９の前端部に設け、天板３の熱拡散板５５の後方部５７のリブ５７Ａに設けた差込穴５７Ｃに差し込むことによって、トップ固定板７１を保持させているが、折返部８１の前端部にも差込部を設け、前方部５６のリブ５６Ａに差込穴を設けて差し込むようにしてもよい。
【００６１】
また上記実施形態では、トップ固定板７１，７２の係止爪部７６，８６を、器具本体２の前面枠１０の係止穴１０５，１０６に係止させている。これに併せて、例えば器具本体２の左右の側面に被係止部を夫々設け、トップ固定板７１，７２の長手方向中央に係止部を夫々設け、トップ固定板７１，７２を前方にスライドさせることによって、被係止部に係止部を係止させるようにしてもよい。これにより、天板３が各バーナ５〜７の燃焼による熱膨張によって器具本体２上部から浮き上がるのを防止できる。
【００６２】
また上記実施形態では、トップ固定板７１，７２をコンロ１の前後方向に移動させるものであるが、それ以外の方向（例えば左右方向）に移動させるものでもよい。
【符号の説明】
【００６３】
１  コンロ
２  器具本体
３  天板
５  右バーナ
６  奥バーナ
７  左バーナ
１０  前面枠
２５〜２７  バーナ開口
３１〜３３  カバーリング
４３，４６  ガイド穴
４５，４８  操作螺子
６６，６７  螺子
７１，７２  トップ固定板
７６，８６  係止爪部
１０５，１０６  係止穴
【図１】
2014005951.tif 000003
【図２】
2014005951.tif 000004
【図３】
2014005951.tif 000005
【図４】
2014005951.tif 000006
【図５】
2014005951.tif 000007
【図６】
2014005951.tif 000008
【図７】
2014005951.tif 000009
【図８】
2014005951.tif 000010
【図９】
2014005951.tif 000011
【図１０】
2014005951.tif 000012
【図１１】
2014005951.tif 000013
【図１２】
2014005951.tif 000014